(57)【要約】【課題】  本発明は、安定した状態でディスク状記録媒体の装脱を行い得るディスク再生装置を実現するものである。【解決手段】  設置面に対して所定角度傾斜させた再生手段を用いてディスク状記録媒体を再生するディスク再生装置において、ディスク蓋手段がトレイ手段を介してトレイ収納手段を被覆した状態から、第１及び第２の付勢手段によりトレイ手段及びディスク蓋手段にそれぞれ第１の方向に付勢力を与えた際、ディスク挟持手段が弾性支持手段の弾性力によって再生手段から離れるときに、ディスク状記録媒体をトレイ手段及びディスク挟持手段間で保持するようにした。【選択図】        図７
2005332547.tif 000002
【特許請求の範囲】
【請求項１】
設置面に対して所定角度傾斜させた再生手段を用いてディスク状記録媒体を再生するディスク再生装置において、
上記再生手段に対して離反する第１の方向又は近接する第２の方向に回転自在に軸支され、上記ディスク状記録媒体を収納保持するためのトレイ手段と、
上記再生手段が露出して設けられ、上記トレイ手段を着脱自在に収納するためのトレイ収納手段と、
上記第１又は第２の方向に回転自在に軸支され、上記トレイ手段を介して上記トレイ収納手段を開放し又は被覆するためのディスク蓋手段と、
上記ディスク蓋手段における上記トレイ手段の対向面に可動自在に取り付けられ、上記ディスク状記録媒体が装着された上記再生手段との間で磁力により当該ディスク状記録媒体を挟持するディスク挟持手段と、
上記トレイ手段及び上記ディスク蓋手段にそれぞれ上記第１の方向に付勢力を与える第１及び第２の付勢手段と、
上記再生手段を上記トレイ収納手段に対して所定の弾性力を持たせて支持する弾性支持手段と
を具え、
上記ディスク蓋手段が上記トレイ手段を介して上記トレイ収納手段を被覆した状態から、上記第１及び第２の付勢手段により上記トレイ手段及び上記ディスク蓋手段にそれぞれ上記第１の方向に付勢力を与えた際、上記ディスク挟持手段が上記弾性支持手段の弾性力によって上記再生手段から離れるときに、上記ディスク状記録媒体を上記トレイ手段及び上記ディスク挟持手段間で保持するようにした
ことを特徴とするディスク再生装置。
【請求項２】
上記トレイ手段は、
上記第２の付勢手段により上記再生手段に対して離反する上記第１の方向に付勢されたとき、上記設置面に対して所定角度傾斜した状態で固定される
ことを特徴とする請求項１に記載のディスク再生装置。
【請求項３】
上記トレイ手段は、
上記ディスク状記録媒体を収納保持する部位の一部に、所定形状の切欠きが形成されてなる
ことを特徴とする請求項１に記載のディスク再生装置。
【請求項４】
上記ディスク蓋手段は、
上記第１又は第２の方向の軸支位置から上記ディスク挟持手段の取り付け位置までの間に、所定形状の湾曲部分を形成するようにした
ことを特徴とする請求項１に記載のディスク再生装置。
【請求項５】
上記ディスク蓋手段が上記トレイ手段を介して上記トレイ収納手段を被覆した状態にあるとき、上記ディスク蓋手段及び上記トレイ収納手段間を掛合する掛合手段と、
外部操作に応じて上記再生手段による再生状態を判断し、当該判断結果に基づいて上記掛合手段による掛合を所定タイミングで解除させる制御手段と
を具えることを特徴とする請求項１に記載のディスク再生装置。
【発明の詳細な説明】
【技術分野】
【０００１】
本発明はディスク再生装置に関し、特にヒンジ式の開閉蓋を用いて光ディスクの挿脱を行うようになされたディスク再生装置に適用して好適なものである。
【背景技術】
【０００２】
従来、この種の光ディスク再生装置においては、本体内部に形成された光ディスクを収納するためのディスク収納部に対して、ヒンジ式の回転機構を有する蓋部が可動自在に取り付けられており、当該蓋部の開閉動作によってディスク収納部を被覆し又は開放するようになされたものがある（例えば、特許文献１参照）。
【０００３】
この光ディスク再生装置では、ディスク収納部の中央に光ディスクを回転させるためのターンテーブルが設けられると共に、蓋部の内側面に円盤形状でなるチャッキングプレートが可動自在に保持されており、開放状態にあるディスク収納部内のターンテーブル上に光ディスクを載置した後に、蓋部を閉じてディスク収納部を被覆状態にしたときに、光ディスクがターンテーブル及びチャッキングプレート間に挟持されるようになされている。
【０００４】
そして光ディスク再生装置は、再生時、ディスク収納部内に設けられたターンテーブルを回動駆動させながら、当該ディスク収納部内に設けられた光ピックアップをターンテーブルに対して近接又は離反するように移動させることにより、回転状態にある光ディスクから当該光ディスクに記録されているオーディオデータを読み出し得るようになされている。
【特許文献１】実開平３−２３８５０号公報（第１図）
【発明の開示】
【発明が解決しようとする課題】
【０００５】
ところで、近年、このようなヒンジ式の回転機構をもつ蓋部を搭載した光ディスク再生装置として、床等の平面上への載置時に、ディスク収納部をターンテーブル及び光ピックアップ共に水平方向に対して所定角度（例えば45度）だけ傾斜させるようにして、装置全体の奥行きを短縮して設置面積を小さくするようになされたものが考えられている。
【０００６】
ここで一般的に光ディスク再生装置においては、ターンテーブル及び光ピックアップを含む光学系ブロックが弾性材でなる複数の防振ダンパを介して、装置全体の組み付け台としてのシャーシに対して所定の弾性力を持つように支持されており、ターンテーブル及び光ピックアップに外部振動又は自己振動が伝達するのを極力回避し得るようになされている。
【０００７】
また通常、光ディスク再生装置では、ターンテーブル上に載置された光ディスクを蓋部の内側面に保持されているチャッキングプレートとの間で双方の磁力によって挟持するようになされ、これらが一体となって回転し得るようになされている。
【０００８】
ところが、このようなディスク収納部を傾斜させた光ディスク再生装置においては、ディスク収納部から光ディスクを取り出すべく、ユーザの操作に応じて蓋部を開動作させる際に、当該蓋部に保持されているチャッキングプレートが、ターンテーブルを磁力により引っ張りながら、当該ターンテーブルを含む光学系ブロックに対して働く複数の防振ダンパの弾性力がかかる磁力を上回ったときにターンテーブルから離れることから、当該複数の防振ダンパの反動力によってターンテーブル上の光ディスクが外部に飛び出すおそれがあった。
【０００９】
本発明は以上の点を考慮してなされたもので、安定した状態でディスク状記録媒体の装脱を行い得るディスク再生装置を提案しようとするものである。
【課題を解決するための手段】
【００１０】
かかる課題を解決するため本発明においては、設置面に対して所定角度傾斜させた再生手段を用いてディスク状記録媒体を再生するディスク再生装置において、再生手段に対して離反する第１の方向又は近接する第２の方向に回転自在に軸支され、ディスク状記録媒体を収納保持するためのトレイ手段と、再生手段が露出して設けられ、トレイ手段を着脱自在に収納するためのトレイ収納手段と、第１又は第２の方向に回転自在に軸支され、トレイ手段を介してトレイ収納手段を開放し又は被覆するためのディスク蓋手段と、ディスク蓋手段におけるトレイ手段の対向面に可動自在に取り付けられ、ディスク状記録媒体が装着された再生手段との間で磁力により当該ディスク状記録媒体を挟持するディスク挟持手段と、トレイ手段及びディスク蓋手段にそれぞれ第１の方向に付勢力を与える第１及び第２の付勢手段と、再生手段をトレイ収納手段に対して所定の弾性力を持たせて支持する弾性支持手段とを設け、ディスク蓋手段がトレイ手段を介してトレイ収納手段を被覆した状態から、第１及び第２の付勢手段によりトレイ手段及びディスク蓋手段にそれぞれ第１の方向に付勢力を与えた際、ディスク挟持手段が弾性支持手段の弾性力によって再生手段から離れるときに、ディスク状記録媒体をトレイ手段及びディスク挟持手段間で保持するようにした。
【００１１】
この結果このディスク再生装置では、ディスク蓋手段がトレイ手段を介してトレイ収納手段を被覆した状態から、第１及び第２の付勢手段によりトレイ手段及びディスク蓋手段にそれぞれ第１の方向に付勢力を与えた際、ディスク状記録媒体がトレイ手段から外部に飛び出すのを有効に防止することができる。
【発明の効果】
【００１２】
上述のように本発明によれば、設置面に対して所定角度傾斜させた再生手段を用いてディスク状記録媒体を再生するディスク再生装置において、ディスク蓋手段がトレイ手段を介してトレイ収納手段を被覆した状態から、第１及び第２の付勢手段によりトレイ手段及びディスク蓋手段にそれぞれ第１の方向に付勢力を与えた際、ディスク挟持手段が弾性支持手段の弾性力によって再生手段から離れるときに、ディスク状記録媒体をトレイ手段及びディスク挟持手段間で保持するようにしたことにより、ディスク状記録媒体がトレイ手段から外部に飛び出すのを有効に防止することができ、かくして安定した状態でディスク状記録媒体の装脱を行い得るディスク再生装置を実現できる。
【発明を実施するための最良の形態】
【００１３】
以下図面について、本願発明の一実施の形態について説明する。
【００１４】
（１）本実施の形態による光ディスク再生装置の構成
図１（Ａ）及び（Ｂ）において、１は全体として本実施の形態による光ディスク再生装置を示し、例えばプラスチック等の合成樹脂材から成形された略紡錘形状でなるキャビネット２の上段部には、ユーザが把持するためのアーチ状の把持部２Ａが形成されており、当該把持部の下方側におけるキャビネット２の前上面中央には、ＣＤ（Compact Disk）等の光ディスクを挿脱するための蓋部（以下、これをディスク蓋部と呼ぶ）３がヒンジ式の回転機構により開閉自在に取り付けられている。
【００１５】
またこの光ディスク再生装置１において、キャビネット２の前面の左右両側には、一対のスピーカ４Ａ、４Ｂが搭載され、再生時に、光ディスクに記録されている音楽データに基づく音声を外部に放音し得るようになされている。
【００１６】
かかるディスク蓋部３には、光ディスクの再生時に必要な各種機能に応じた操作内容を表す操作ボタン群でなる操作部５と、当該操作内容を表示するためのＬＣＤ（liquid Crystal Display）でなる表示部６とが搭載されている。
【００１７】
この光ディスク再生装置１では、ディスク蓋部３の下段に設けられたオープンボタン７（図１（Ｂ））をユーザが押圧操作することにより、当該ディスク蓋部３を開動作させて図２で後述するトレイ収納部１３（図１では図示せず）を開放させる一方、ユーザがディスク蓋部３の表面を押し下げることにより、当該ディスク蓋部３を閉動作させてトレイ収納部１３を被覆させるようになされている。
【００１８】
（２）本実施の形態による光ディスク再生部の構成
図２は本実施の形態による光ディスク再生部１０を示し、装置全体の組み付け台としてのシャーシ１１を基台とするヒンジ式の回転機構をもつトレイ（以下、これをディスクトレイと呼ぶ）１２と、当該シャーシ１１の一部として形成され、ディスクトレイ１２を収納しかつ光ディスクを再生するためのトレイ収納部１３と、同じくシャーシ１１を基台とするヒンジ式の回転機構をもつディスク蓋部３とから構成され、ディスク蓋部３の開閉動作によってディスクトレイ１２と共にトレイ収納部１３を被覆し又は開放し得るようになされている。
【００１９】
この光ディスク再生部１０では、ディスク蓋部３及びディスクトレイ１２は、常にトレイ収納部１３に対して開方向に付勢された状態にあり、設置面（水平方向）を基準として45度の角度で傾斜されたトレイ収納部１３に対して、ディスク蓋部３が80度の角度（設置面を基準として125度）で傾斜する一方、ディスクトレイ１２が25度の角度（設置面を基準として70度）で傾斜するように設計されている。
【００２０】
そして後述するように光ディスク再生部１０では、ディスク蓋部３を閉動作させたときに途中からディスクトレイ１２と一体となってトレイ収納部１３に近接する方向に回転移動する一方、ディスク蓋部３を開動作させたときに途中までディスクトレイ１２と一体となってトレイ収納部１３から離反する方向に回転移動するようになされている。
【００２１】
また光ディスク再生部１０は、ディスク蓋部３の縁部における所定部位に所定形状の突起（以下、これをロック爪と呼ぶ）ＬＮが形成される一方、トレイ収納部１３の縁部における当該ロック爪ＬＮの対応部位に可動自在なレバー（以下、これをロックレバーと呼ぶ）ＬＬが設けられている。
【００２２】
この光ディスク再生部１０は、ディスク蓋部３の縁部におけるロック爪ＬＮの近傍位置には所定形状のボスＢＳが形成され、トレイ収納部１３を被覆するようにディスク蓋部３を閉じる際に、当該ボスがディスクトレイ１２の先端上部と当接した後、そのままディスク蓋部３及びディスクトレイ１２が一体となって回転移動しながらロック爪ＬＮがロックレバーＬＬに掛合されることにより、ディスク蓋部３がディスクトレイ１２を介してトレイ収納部１３に対して閉状態となるようになされている。
【００２３】
このトレイ収納部１３には、中心部に光ディスクを回転させるためのターンテーブル１４と、当該ターンテーブル１４に対して近接又は離反させるように移動可能な光ピックアップ１５とを含む光学系ブロック１６が設けられている。かかる光学系ブロック１６は、弾性材でなる複数の防振ダンパ１７Ａ〜１７Ｄ（図７、図８〜図１１で示し、この図２では図示せず）を介してシャーシ１１に対して所定の弾性力を持つように支持されており、ターンテーブル１４及び光ピックアップ１５に外部振動又は自己振動が伝達するのを極力回避し得るようになされている。
【００２４】
またディスク蓋部３の内側面には、円盤形状でなるチャッキングプレート１８が所定範囲内で可動自在に保持されており、トレイ収納部１３の上面に光ディスクを載置した後に、ディスク蓋部３をディスクトレイ１２と共に閉じてトレイ収納部１３を被覆状態にしたときに、光ディスクがターンテーブル１４及びチャッキングプレート１８間に挟持されるようになされている。
【００２５】
かかるターンテーブル１４は、中心部に光ディスクの中心穴に対応するテーパ状の突起部１４Ａと、当該突起部１４Ａの周囲で光ディスクを載置するための平面を有する金属材でなる円盤部１４Ｂとが一体に固着されて構成されている。
【００２６】
その際、光ディスクは、その中心穴がターンテーブル１４の突起部１４Ａに嵌り込むようにして円盤部１４Ｂ上に載置されたとき、ディスク蓋部３の裏面に保持されているチャッキングプレート１８との間で磁力によって挟持するようになされ、これらが一体となって回転し得るようになされている。
【００２７】
そして光ディスク再生部１０は、再生時、トレイ収納部１３内に設けられたターンテーブル１４を回動駆動させながら、当該トレイ収納部１３内に設けられた光ピックアップ１５をターンテーブル１４に対して近接又は離反するように移動させることにより、回転状態にある光ディスクから当該光ディスクに記録されているオーディオデータを読み出し得るようになされている。
【００２８】
かかる構成に加えて、この光ディスク再生部１０には、トレイ収納部１３に設けられたロックレバーＬＬの近傍にプランジャ１９が設けられ、装置全体の制御を司る制御部２０（図３にのみ示す）の制御に応じて、プランジャ１９からピストン棒１９Ａを突出し又は引込みを行うようになされている。
【００２９】
このプランジャのピストン棒の先端にはロックレバーＬＬが固着されており、当該ピストン棒１９Ａの突出又は引込に応じてロックレバーＬＬを可動させることにより、ロック爪ＬＮとの間の掛合を設定し又は解除し得るようになされている。
【００３０】
実際に光ディスク再生部１０では、図３に示すように、制御部２０は、ディスク蓋部３の下段に設けられたオープンボタン（図１（Ｂ））の押圧操作による操作信号Ｓ１を受け取ると、光ディスクの再生時であるか否かを判断して、再生時以外の停止状態であると判断したとき、プランジャドライバ２１に駆動信号Ｓ３を送出して、プランジャ１９のピストン棒１９Ａを一時的に引き込むことによりロックレバーＬＬとロック爪ＬＮとの掛合を解除させる。
【００３１】
これに対して制御部２０は、再生時であると判断したとき、停止状態に移行すべくスピンドルドライバ２２に駆動停止信号Ｓ２を送出してスピンドルモータ２３の回転を停止させながら、当該スピンドルドライバ２２に駆動停止信号Ｓ２を送出してから所定時間経過後にプランジャドライバ２１に駆動信号Ｓ３を送出する。この所定時間は、スピンドルモータ２３の回転にブレーキが掛けられてから停止するまでの時間に相当するものであり、予めプログラムにより設定されている。
【００３２】
そして制御部２０は、プランジャドライバ２１が駆動信号Ｓ３に基づいてプランジャ１９を駆動制御することにより、当該プランジャ１９のピストン棒１９Ａを一時的に引き込むことによりロックレバーＬＬとロック爪ＬＮとの掛合を解除させる。
【００３３】
このようにして光ディスク再生部１０では、再生時以外の停止時にユーザがオープンボタン７を押圧操作した場合には、直ちにプランジャ１９を駆動させてロックレバーＬＬとロック爪ＬＮとの掛合を解除する一方、再生時にユーザがオープンボタン７を押圧操作した場合には、ターンテーブル１４の回転停止を開始させてから所定時間経過後にプランジャ１９を駆動させてロックレバーＬＬの掛合を解除させるようにしたことにより、光ディスクが回転中にディスク蓋部３が開状態となって当該光ディスクが外部に飛び出したり、これに伴って擦れたりするのを未然に防止することができる。
【００３４】
（３）ディスク蓋部３及びディスクトレイ１２の構成
図４（Ａ）及び（Ｂ）にディスク蓋部３の構成を示す。このディスク蓋部３は、例えばプラスチック等の合成樹脂材から成形された所定の厚みを有する略円盤形状の蓋本体部３Ａを有し、当該蓋本体部３Ａの後端の両側には略扇形形状でなる一対の蓋回動支持部が一体成形されている。また蓋本体部３Ａの先端の所定位置には、図２で上述したロック爪ＬＮが突出形成されている。
【００３５】
またディスク蓋部３において、蓋本体部３Ａの表面側には図１で上述した表示部５及び操作部６が搭載されており、当該蓋本体部３Ａの裏面側には中央に円盤形状でなるチャッキングプレート１８が所定範囲内で可動自在に保持されている。
【００３６】
この蓋本体部３Ａの両側に形成された一対の蓋回動支持部３ＡＸ、３ＡＹは、それぞれ所定位置に軸穴３ＡＸＨ、３ＡＹＨが形成されると共に、外側端部には所定形状のストッパ（以下、これらをサブストッパと呼ぶ）３ＡＸＳ、３ＡＹＳが外方に突出形成されている。かかる一対の蓋回動支持部３ＡＸ、３ＡＹのうち一方の蓋回動支持部３ＡＸには、略円弧状でなる周縁部に所定範囲内で歯車（以下、これを開閉用歯車と呼ぶ）３ＡＸＧが形成されており、他方の蓋回動支持部３ＡＹには所定形状でなるストッパ（以下、これをメインストッパと呼ぶ）３ＡＹＭが形成されている。
【００３７】
図４（Ａ）及び当該図４（Ａ）のＡ−Ａ´線を断面にとった図４（Ｂ）に示すように、チャッキングプレート１８は、光ディスクを押圧するための当接面を有する円盤形状でなるディスクプレート部１８Ａと、当該ディスクプレート部１８Ａの当接面１８ＡＳの裏面に接続された所定の直径及び長さをもつ筒体部１８Ｂと、当該筒体部１８Ｂの端部の全周囲に張り出したフランジ部１８Ｃとから構成され、ディスクプレート部１８Ａ及びフランジ部１８Ｃ間の筒体部１８Ｂの内部に所定サイズの円環形状でなる磁石（以下、これを環状磁石と呼ぶ）２５が内蔵されている。
【００３８】
また蓋本体部３Ａの裏面側には、所定径の円形状の開口部ＯＰを形成する保持壁３ＡＷを一部に有する保持空間３ＡＳが設けられている。この保持壁３ＡＷにより形成される円形状の開口部ＯＰの直径は、チャッキングプレート１８の筒体部１８Ｂの直径よりも大きく、かつフランジ部１８Ｃの直径よりも小さくなるように予め設計されている。
【００３９】
このチャッキングプレート１８は、蓋本体部３Ａにおける保持空間３ＡＳの保持壁３ＡＷにより形成される開口部ＯＰを介してフランジ部１８Ｃが保持空間３ＡＳ内に収容され、筒体部１８Ｂの長さ分と筒体部１８Ｂ及び開口部ＯＰ間の隙間分とだけ遊びが生じることにより、当該遊びの範囲内で自由に可動し得るようになされている。この結果、チャッキングプレート１８におけるディスクプレート部１８Ａの当接面１８ＡＳが３次元方向に向くことによって、トレイ収納部１３（図２）のターンテーブル１４の円盤部１４Ｂに載置された光ディスクに対してほぼ平行に当接させることができる。
【００４０】
さらにチャッキングプレート１８におけるディスクプレート部１８Ａの当接面１８ＡＳを光ディスクを間に挟んでターンテーブル１４と間接的に押圧させたときに、当該チャッキングプレート１８に内蔵された環状磁石２５の磁力により金属材でなるターンテーブル１４と引き合って、光ディスクを強固に挟持し得るようになされている。
【００４１】
なおディスク蓋部３では、蓋本体部３Ａに形成された一対の蓋回動支持部３ＡＸ、３ＡＹは、当該蓋本体部３Ａとの間にそれぞれ湾曲形状のくびれ部分３ＡＸＫ、３ＡＹＫを形成するようにして、各軸穴３ＡＸＨ、３ＡＹＨを回転中心として回転させる際に、当該各軸穴３ＡＸＨ、３ＡＹＨに対してチャッキングプレート１８の距離を十分に確保することができるようにした。この結果、ディスク蓋部３の裏面の可動自在に保持されたチャッキングプレート１８を、ディスクトレイ１２上に載置された光ディスクに対して当接させる際に、当該チャッキングプレート１８の当接面１８ＡＳを光ディスクに対してより一層平行に当接させることができ、光ディスクのサイズが小さい場合でも均等に接触押圧させ得るようになされている。
【００４２】
図５（Ａ）及び（Ｂ）にディスクトレイ１２の構成を示す。このディスクトレイ１２は、例えばプラスチック等の合成樹脂材から成形された所定の厚みを有する略円盤形状のトレイ本体部１２Ａを有し、当該トレイ本体部１２Ａの両端側には略板状形状でなる一対のトレイ回動支持部１２ＡＸ、１２ＡＹが一体成形されている。
【００４３】
このトレイ本体部１２Ａの両側に形成された一対のトレイ回動支持部１２ＡＸ、１２ＡＹは、それぞれ所定位置に軸穴１２ＡＸＨ、１２ＡＹＨが形成されると共に、外側端部には所定形状のストッパ１２ＡＸＳ、１２ＡＹＳが外方に突出形成されている。かかる一対のトレイ回動支持部１２ＡＸ、１２ＡＹのうち一方には、所定位置に所定の歯数（例えば４本）でなるラック１２ＡＸＲが外方に突出形成されており、他方には所定形状の切欠き溝１２ＡＹＬが形成されている。
【００４４】
このディスクトレイ１２のトレイ本体部１２Ａには、表面１２ＡＳに直径が12〔cm〕及び８〔cm〕の光ディスクを収納するための円弧状の段部（以下、これらを外側段部及び内側段部と呼ぶ）１２ＡＳＡ、１２ＡＳＢがそれぞれ形成されており、中央から径方向に沿ってターンテーブル１４及び光ピックアップ１５等の部品を露出させるための開口部１２ＡＰが形成され、さらに先端にはユーザが光ディスクを把持するための左右一対の円弧形状の切欠き部１２ＡＬＡ、１２ＡＬＢが形成されている。
【００４５】
実際にディスクトレイ１２が開状態にあるとき、当該ディスクトレイ１２が設置面を基準として45度の角度で傾斜されたトレイ収納部１３に対して25度の角度（設置面を基準として70度）で傾斜することから、当該ディスクトレイ１２上に載置された光ディスクが重力によりそのトレイ本体部１２Ａに形成された外側段部１２ＡＳＡ又は内側段部１２ＡＳＢで当接保持される。この結果、ディスクトレイ１２が開状態にあるときは、ユーザが光ディスクを粗雑に載置したときでも常に同じ位置決め状態で保持させることができ、ターンテーブル１４に対する位置決め精度を格段と向上させることができる。
【００４６】
さらに光ディスクが載置されたディスクトレイ１２が開状態にあれば、そのトレイ本体部１２Ａに形成された左右一対の切欠き部１２ＡＬＡ、１２ＡＬＢに相当する部位で光ディスクが露出するため、ユーザはその部位で光ディスクを把持するだけでそのまま取り出すことができる。この結果、従来のように光ディスクを収納する空間をユーザの指を入れる分まで考慮して拡げる必要がなくて済み、ディスクトレイ１２のトレイ本体部１２Ａのサイズをユーザの指を入れなくて済む分だけ小型化することができる。
【００４７】
（４）光ディスク再生部１０の詳細構造
本実施の形態における光ディスク再生部１０では、図６及び図７に示すように、ディスク蓋部３の開閉動作に部分的にディスクトレイ１２を連動させるようにしてトレイ収納部１３を被覆し又は開放し得るようになされている。
【００４８】
この光ディスク再生部１０では、シャーシ１１の後端側に、ディスク蓋部３の一対の蓋回動支持部３ＡＸ、３ＡＹと対応する位置関係を保つように一対の支持部材１１Ａ、１１Ｂ（図７のみ示す）が形成されており、当該各支持部材１１Ａ、１１Ｂの側面にはそれぞれ固定軸１１ＡＸ、１１ＢＹが外方に突出して形成されている。
【００４９】
ディスク蓋部３は、一対の蓋回動支持部３ＡＸ、３ＡＹに形成された各軸穴３ＡＸＨ、３ＡＹＨにそれぞれ支持部材１１Ａ、１１Ｂに形成された固定軸１１ＡＸ、１１ＢＸを嵌め込むようにして、当該各固定軸１１ＡＸ、１１ＢＸを回動中心として矢印ａ方向又はこれと逆方向に回動自在に支持されている。
【００５０】
またシャーシ１１の後端側には、ディスク蓋部３の回動時における一対の蓋回動支持部３ＡＸ、３ＡＹの通路となる所定部位にそれぞれ一対の係止部材１１Ｃ、１１Ｄが形成されており、当該各蓋回動支持部３ＡＸ、３ＡＹに形成された一対のサブストッパ３ＡＸＳ、３ＡＹＳと係合し得るようになされている。
【００５１】
さらにシャーシ１１の後端側には、ディスク蓋部３の回動時における一対の蓋回動支持部３ＡＸ、３ＡＹの通路となる所定部位に、一方には所定量のトルクが常時かけられている歯車（以下、これを第１のトルク歯車と呼ぶ）３０を有する蓋用トルク発生部（図示せず）が設けられ、当該第１のトルク歯車３０が一方の蓋回動支持部３ＡＸに形成された開閉用歯車３ＡＸＧと係合し得るようになされており、他方には係止部材１１Ｄが形成され、他方の蓋回動支持部３ＡＹに形成されたメインストッパ３ＡＹＭと係合し得るようになされている。
【００５２】
その際、ディスク蓋部３が設置面を基準として45度の角度で傾斜されたトレイ収納部１３に対して80度の角度（設置面を基準として125度）で傾斜するように、シャーシ１１の各係止部材１１Ｃ、１１Ｄとディスク蓋部３の各サブストッパ３ＡＸＳ、３ＡＹＳ及びメインストッパ３ＡＹＭとの位置関係が予め設定されている。
【００５３】
さらにシャーシ１１の後端側における一方の支持部材１１Ｂには、固定軸１１ＡＸと反対方向に所定形状の保持部材１１ＢＡ（図７にのみ示す）が突出して形成されており、当該保持部材１１ＢＡに巻着されたトーションばね３１の一端はシャーシ１１自体に固定されると共に、他端はディスク蓋部３の裏面側に固定されている。これによりディスク蓋部３の開閉動作に伴い、トーションばね３１に付勢力に応じた張力がディスク蓋部３に伝えられる。
【００５４】
また光ディスク再生部１０では、シャーシ１１の後端側に形成された一対の支持部材１１Ｃ、１１Ｄの間に、ディスクトレイ１２の一対のトレイ回動支持部１２ＡＸ、１２ＡＹと対応する位置関係を保つように一対の支持部材１１Ｅ、１１Ｆが形成されており、当該各支持部材１１Ｅ、１１Ｆの側面にはそれぞれ固定軸１１ＥＸ、１１ＦＸ（図６にのみ示す）が外方に突出して形成されている。
【００５５】
ディスクトレイ１２は、一対のトレイ回動支持部１２ＡＸ、１２ＡＹに形成された各軸穴１２ＡＸＨ、１２ＡＹＨにそれぞれ支持部材１１Ｅ、１１Ｆに形成された固定軸１１ＥＸ、１１ＦＸを嵌め込むようにして、当該各固定軸１１ＥＸ、１１ＦＸを回動中心として矢印ｂ方向又はこれと逆方向に回動自在に支持されている。
【００５６】
またシャーシ１１の後端側には、ディスクトレイ１２の回動時における一対のトレイ回動支持部１２ＡＸ、１２ＡＹの通路となる所定部位にそれぞれ一対の係止部材１１Ｇ、１１Ｈが形成されており、当該各トレイ回動支持部１２ＡＸ、１２ＡＹに形成された一対のストッパ１２ＡＸＳ、１２ＡＹＳと係合し得るようになされている。
【００５７】
さらにシャーシ１１の後端側には、ディスクトレイ１２の回動時における一対のトレイ回動支持部１２ＡＸ、１２ＡＹの通路となる所定部位に、一方には所定量のトルクが常時かけられている歯車（以下、これを第２のトルク歯車と呼ぶ）３２を有するトレイ用トルク発生部（図示せず）が設けられ、当該第２のトルク歯車３２が一方のトレイ回動支持部１２ＡＸに形成されたラック１２ＡＸＲと係合し得るようになされている。
【００５８】
その際、ディスクトレイ１２が設置面を基準として45度の角度で傾斜されたトレイ収納部１３に対して25度の角度（設置面を基準として70度）で傾斜するように、シャーシ１１の各係止部材１１Ｇ、１１Ｈとディスクトレイ１２の各ストッパ１２ＡＸＳ、１２ＡＹＳとの位置関係が予め設定されている。
【００５９】
さらにシャーシ１１の後端側の中央には、所定形状の保持部材１１Ｋが下側方向に突出して形成されており、当該保持部材１１Ｋに巻着されたトーションばね３３の一端はシャーシ１１自体に固定されると共に、他端はディスクトレイ１２の一方のトレイ回動支持部１２ＡＹに形成された切欠き溝１２ＡＹＬに固定されている。これによりディスクトレイ１２の開閉動作に伴い、トーションばね３３に付勢力に応じた張力がディスクトレイ１２に伝えられる。
【００６０】
このように光ディスク再生部１０では、ディスク蓋部３及びディスクトレイ１２は、それぞれトーションばね３１、３３の付勢力に基づいて常にトレイ収納部１３に対して離反する方向に付勢された状態にあり、ディスク蓋部３のロック爪ＬＮとトレイ収納部１３のロックレバーＬＬとが掛合状態にあるときには、ディスク蓋部３及びディスクトレイ１２は共に閉状態となる一方、当該掛合が解除状態にあるときには、ディスク蓋部３及びディスクトレイ１２は共に開状態となる。
【００６１】
（５）光ディスク再生部１０の動作遷移
（５−１）光ディスクの装填時における動作遷移
実際に光ディスク再生装置１における光ディスク再生部１０では、図８に示すように、ディスク蓋部３及びディスクトレイ１２が開状態にあるときに光ディスクを装填する場合には、まずユーザはディスクトレイ１２の表面に所望の光ディスクをそのサイズに応じた段部１２ＡＳＡ、１２ＡＳＢに合うように載置した後、ディスク蓋部３の表面を手で押下させる。
【００６２】
やがてディスク蓋部３は、固定軸１１ＡＸを中心として矢印ａ方向と逆方向に回転移動しながら先端のボスＢＳ（図２）がディスクトレイ１２の先端上部と当接する（図９（Ａ））。そのときディスクトレイ１２に載置されている光ディスクは、ディスク蓋部３の裏面に設けられたチャッキングプレート１８の当接面１８ＡＳに当接される。
【００６３】
さらにユーザがディスク蓋部３を押下すると、当該ディスク蓋部３及びディスクトレイ１２が一体となって固定軸１１ＡＸ、１１ＥＸを中心としてそれぞれ矢印ａ、ｂ方向と逆方向に回転移動しながら、トレイ収納部１３に接触されると、ロック爪ＬＮがロックレバーＬＬに掛合されることにより、ディスク蓋部３がディスクトレイ１２を介してトレイ収納部１３に対して閉状態となる（図９（Ｂ））。
【００６４】
このときディスクトレイ１２のトレイ本体部１２Ａに形成された開口部ＯＰからは、トレイ収納部１３に設けられたターンテーブル１４及び光ピックアップ１５等が露出することにより、光ディスクはその中心穴がターンテーブル１４の突起部１４Ａに嵌り込みながら円盤部１４Ｂ上に載置される。
【００６５】
さらに光ディスクは、チャッキングプレート１８の当接面１８ＡＳとも当接されることから、チャッキングプレート１８に内蔵された環状磁石２５がターンテーブル１４の金属材でなる円盤部１４Ｂと磁力により引き合って、光ディスクを強固に挟持される。かくして光ディスクは、チャッキングプレート１８及びターンテーブル１４間でこれらと一体となって回転することができる。
【００６６】
（５−２）光ディスクの取出し時における動作遷移
次に光ディスク再生装置１における光ディスク再生部１０では、図１０（Ａ）に示すように、ディスク蓋部３及びディスクトレイ１２が閉状態にあるときに光ディスクを取り出す場合、まずユーザがオープンボタン７（図１（Ｂ））を押圧操作する。
【００６７】
このとき光ディスク再生部１０は、再生時以外の停止時には、直ちにプランジャ１９（図２）を駆動させてロックレバーＬＬとロック爪ＬＮとの掛合を解除する一方、再生時には、ターンテーブル１４の回転停止を開始させてから所定時間経過後にプランジャ１９を駆動させてロックレバーＬＬの掛合を解除させる。この結果、再生時のような光ディスクの回転中にディスク蓋部３が開状態となって当該光ディスクのスリや当該光ディスクが外部に飛び出すのを未然に防止することができる。
【００６８】
そしてディスク蓋部３及びディスクトレイ１２が、それぞれトーションばね３１、３３（図６及び図７）の付勢力によって各固定軸１１ＡＸ、１１ＢＸ、１１ＥＸ、１１ＦＸを中心として矢印ａ、ｂ方向と逆方向に回転移動するにつれて、当該ディスク蓋部３の裏面に可動自在に保持されているチャッキングプレート１８が途中から一体となって引き上げられることにより、当該チャッキングプレート１８に内蔵された環状磁石２５の磁力によってターンテーブル１４も持ち上げられる（図１０（Ｂ））。
【００６９】
このターンテーブル１４を含む光学系ブロック１６は、弾性材でなる複数の防振ダンパ１７Ａ〜１７Ｄを介してシャーシ１１に対して所定の弾性力を持つように支持されているため、ターンテーブル１４がチャッキングプレート１８によって引き上げられながら、複数の防振ダンパ１７Ａ〜１７Ｄが縮みきった状態である弾性力限界に達すると、ターンテーブル１４がチャッキングプレート１８から引き離される（図１１（Ａ））。
【００７０】
そのときターンテーブル１４を含む光学系ブロック１６には複数の防振ダンパ１７Ａ〜１７Ｄによる弾性力に応じた反動力が与えられるが、光ディスクはディスクトレイ１２上に載置されたままチャッキングプレート１８の当接面１８ＡＳに当接された状態で保持されているため、ターンテーブル１４が光ディスクから離れるだけであって、当該光ディスクがかかる反動力の影響を受けることは回避される（図１１（Ｂ））。
【００７１】
この状態でディスク蓋部３及びディスクトレイ１２が一体となって固定軸１１ＡＸ、１１ＢＸ、１１ＥＸ、１１ＦＸを中心として矢印ａ、ｂ方向と逆方向に回転移動しながら、ディスクトレイ１２が開状態となって回転移動を停止した後、さらにディスク蓋部３のみがそのまま開状態となるまで回転移動する。この結果、ディスクトレイ１２上に載置された光ディスクが外部に露出した状態になり、ユーザは光ディスクを取り出すことが可能となる。
【００７２】
（６）本実施の形態による動作及び効果
以上の構成において、設置面に対して光ディスク再生部１０が所定角度傾斜された光ディスク再生装置１では、この光ディスク再生部１０のディスク蓋部３及びディスクトレイ１２が閉状態にあるときに光ディスクを取り出す場合、ユーザの操作に応じてロック機構を解除させた後、ディスク蓋部３及びディスクトレイ１２をそれぞれトーションばねの付勢力によって開方向に向かって回転移動させる。
【００７３】
このディスク蓋部３の回転移動に伴って、その裏面に可動自在に保持されているチャッキングプレート１８も一体となって引き上げられることから、当該チャッキングプレート１８及びターンテーブル１４間で引き合う磁力によって当該ターンテーブル１４が光学系ブロック１６ごと若干持ち上げられるが、やがて複数の防振ダンパ１７Ａ〜１７Ｄの弾性力限界に達するとその弾性力に応じた反動力が光学系ブロック１６に与えられることにより、その反動力によってターンテーブル１４がチャッキングプレート１８から引き離される。
【００７４】
このときディスクトレイ１２上に載置された光ディスクは、チャッキングプレート１８の当接面に当接された状態にあるため、ターンテーブル１４が反動力で離れる際の影響を受けずに済み、そのままディスク蓋部３及びディスクトレイ１２がそれぞれ開方向に向かって回転移動しながら、ディスクトレイ１２が開状態となって回転移動を停止した後、さらにディスク蓋部３のみがそのまま開状態となるまで回転移動する。
【００７５】
この結果、ディスクトレイ１２上に載置された光ディスクは、ディスク蓋部３及びディスクトレイ１２が閉状態から開状態へ回転移動する際に外部に飛び出したり、これに伴って擦れたりすることなく、安定した状態でディスクトレイ１２上に保持させることができる。
【００７６】
以上の構成によれば、設置面に対して所定角度傾斜させた光ディスク再生部１０を搭載した光ディスク再生装置１において、当該光ディスク再生部１０のうちディスク蓋部３のみならずディスクトレイ１２をもヒンジ式の回転機構をもたせておき、ディスク蓋部３及びディスクトレイ１２が閉状態から開状態へ回転移動する際に、チャッキングプレート１８がターンテーブル１４から離れるときにディスクトレイ１２上に載置された光ディスクをチャッキングプレート１８に当接させるようにして、複数の防振ダンパ１７Ａ〜１７Ｄによる弾性限界に応じた反動力をディスクトレイ１２上に載置された光ディスクに影響を与えるのを回避するようにしたことにより、当該光ディスクがディスクトレイ１２上から外部に飛び出したり、これに伴って擦れたりするのを有効に防止することができ、かくして安定した状態で光ディスクの装脱を行うことができる光ディスク再生装置１を実現できる。
【００７７】
（７）他の実施の形態
なお上述の本実施の形態においては、設置面に対して所定角度傾斜させた光学系ブロック（再生手段）１６を用いて光ディスク（ディスク状記録媒体）を再生するディスク再生装置として、図１に示すような外観構成を有するものを適用した場合について述べたが、本発明はこれに限らず、要は、装置全体として奥行きを狭めて設置面積を小さくすべく種々の光学系ブロック１６が設置面に対して傾斜したものであれば、この他種々の構成のディスク再生装置に広く適用することができる。
【００７８】
またディスク状記録媒体として、ＣＤ（Compact Disk）でなる光ディスクを適用した場合について述べたが、これ以外にも光磁気ディスクや、ＤＶＤ（Digital Versatile Disc）など種々のディスク状記録媒体に適用することができる。
【００７９】
さらに上述の本実施の形態においては、光学系ブロック１６（再生手段）に対して離反する第１の方向（矢印ａ、ｂ方向）又は近接する第２の方向（矢印ａ、ｂ方向と逆方向）に回転自在に軸支され、光ディスク（ディスク状記録媒体）を収納保持するためのトレイ手段として、図５（Ａ）及び（Ｂ）に示す構成のものを適用した場合について述べたが、本発明はこれに限らず、この他種々の構成からなるトレイ手段に広く適用することができる。
【００８０】
さらに上述の本実施の形態においては、光学系ブロック１６（再生手段）が露出して設けられ、ディスクトレイ（トレイ手段）１２を着脱自在に収納するためのトレイ収納手段として、図２に示すように、光ディスク再生部１０のうちのトレイ収納部１３を適用した場合について述べたが、本発明はこれに限らず、この他種々の構成からなるトレイ収納手段に広く適用することができる。
【００８１】
さらに上述の本実施の形態においては、第１又は第２の方向（矢印ａ、ｂ方向又はこれと逆方向）に回転自在に軸支され、ディスクトレイ１２（トレイ手段）を介してトレイ収納部（トレイ収納手段）１３を開放し又は被覆するためのディスク蓋手段として、図４（Ａ）及び（Ｂ）に示す構成のディスク蓋部３を適用した場合について述べたが、本発明はこれに限らず、この他種々の構成からなるディスク蓋手段に広く適用することができる。
【００８２】
さらに上述の本実施の形態においては、ディスク蓋部（ディスク蓋手段）３におけるディスクトレイ（トレイ手段）１２の対向面に可動自在に取り付けられ、光ディスク（ディスク状記録媒体）が装着された光学系ブロック（再生手段）１６との間で磁力により当該光ディスク（ディスク状記録媒体）を挟持するディスク挟持手段として、図４（Ａ）及び（Ｂ）に示す構成のチャッキングプレート１８を適用した場合について述べたが、本発明はこれに限らず、この他種々の構成からなるディスク挟持手段に広く適用することができる。
【００８３】
さらに上述の本実施の形態においては、ディスクトレイ（トレイ手段）１２及びディスク蓋部（ディスク蓋手段）３にそれぞれ第１の方向（矢印ａ、ｂ方向）に付勢力を与える第１及び第２の付勢手段として、図６及び図７に示すようなトーションばね３１、３３を適用するようにした場合について述べたが、本発明はこれに限らず、それぞれ所定量の付勢力を第１の方向（矢印ａ、ｂ方向）に与えることができれば、トーションばね以外のコイルばね等でなる種々の付勢手段を広く適用するようにしても良い。
【００８４】
さらに上述の本実施の形態においては、光学系ブロック（再生手段）１６をトレイ収納部（トレイ収納手段）１３に対して所定の弾性力を持たせて支持する弾性支持手段として、図７、図８〜図１１に示すような、弾性材でなる複数の防振ダンパ１７Ａ〜１７Ｄを適用するようにした場合について述べたが、本発明はこれに限らず、要は、光学系ブロック（再生手段）１６に外部振動又は自己振動が伝達するのを極力回避することができるものであれば、この他種々の構成でなる弾性支持手段を広く適用するようにしても良い。
【００８５】
さらに上述の本実施の形態においては、ディスクトレイ（トレイ手段）１２は、トーションばね（第２の付勢手段）３３により光学系ブロック（再生手段）１６に対して離反する第１の方向（矢印ｂ方向）に付勢されたとき、設置面に対して所定角度（70度）傾斜した状態で固定されるようにした場合について述べたが、本発明はこれに限らず、要は、ディスクトレイ１２が開状態にあるときは、ユーザが光ディスクを粗雑に載置したときでも常に同じ位置決め状態で保持させることができれば、設置面に対するディスクトレイ（トレイ手段）１２の傾斜角度は70度以下でも以上でも自由に設定するようにしても良い。
【００８６】
さらに上述の本実施の形態においては、ディスクトレイ（トレイ手段）１２は、光ディスク（ディスク状記録媒体）を収納保持する部位の一部に、所定形状の切欠き１２ＡＬＡ、１２ＡＬＢが形成されてなるようにした場合について述べたが、本発明はこれに限らず、要は、当該切欠きに相当する部位で光ディスクを露出させるようにして、従来のように光ディスクを収納する空間をユーザの指を入れる分まで考慮して拡げる必要がなくて済むことができれば、切欠きの形状や数は自由に設定するようにしても良い。
【００８７】
さらに上述の本実施の形態においては、ディスク蓋部（ディスク蓋手段）３は、第１又は第２の方向（矢印ａ、ｂ方向又は逆方向）の各軸穴（軸支位置）３ＡＸＨ、３ＡＹＨ、１２ＡＸＨ、１２ＡＹＨからチャッキングプレート１８（ディスク挟持手段）の取り付け位置までの間に、所定形状の湾曲部分３ＡＸＫ、３ＡＹＫを形成するようにした場合について述べたが、本発明はこれに限らず、要は、各軸穴を回転中心として回転させる際に、当該各軸穴に対して蓋本体部３Ａの距離を十分に確保するようにして、チャッキングプレート１８の当接面１８ＡＳを光ディスクに対してより一層平行に当接させることができれば、湾曲部分の形状はくびれ形状以外にも種々の形状に設定するようにしても良い。
【００８８】
さらに上述の本実施の形態においては、ディスク蓋部（ディスク蓋手段）３がディスクトレイ（トレイ手段）１２を介してトレイ収納部（トレイ収納手段）１３を被覆した状態にあるとき、ディスク蓋部（ディスク蓋手段）３及びトレイ収納部（トレイ収納手段）１３間を掛合する掛合手段として、図２に示すようなロックレバーＬＬ及びロック爪ＬＮ（掛合手段）を適用し、外部操作に応じて光学系ブロック（再生手段）１６による再生状態を判断し、当該判断結果に基づいてロックレバーＬＬ及びロック爪ＬＮ（掛合手段）による掛合を所定タイミングで解除させる制御手段を、図３に示すような制御部２０、プランジャドライバ２１及びプランジャ１９から構成するようにした場合について述べたが、本発明はこれに限らず、要は、光ディスクが回転中にディスク蓋部３が開状態となって当該光ディスクが外部に飛び出すのを未然に防止することができれば、ロックレバーＬＬ及びロック爪ＬＮ（掛合手段）の掛合を解除する機構は種々の制御方法により行うようにしても良い。
【産業上の利用可能性】
【００８９】
ディスク再生装置において、ヒンジ式回転機構を有するスピーカ付きの光ディスク再生装置などに適用することができる。
【図面の簡単な説明】
【００９０】
【図１】本実施の形態による光ディスク再生装置の外観構成を示す略線図である。
【図２】図１の光ディスク再生装置内の光ディスク再生部の構成を示す部分的斜視図である。
【図３】プランジャ及びターンテーブルの制御状態の説明に供するブロック図である。
【図４】ディスク蓋部の構成を示す斜視図及び断面図である。
【図５】ディスクトレイの構成を示す斜視図及び上面図である。
【図６】ディスク蓋部及びディスクトレイの係合状態の説明に供する略線的な斜視図である。
【図７】ディスク蓋部及びディスクトレイの係合状態の説明に供する略線的な斜視図である。
【図８】光ディスク装填時における動作遷移の説明に供する部分的断面図である。
【図９】光ディスク装填時における動作遷移の説明に供する部分的断面図である。
【図１０】光ディスク取出し時における動作遷移の説明に供する部分的断面図である。
【図１１】光ディスク取出し時における動作遷移の説明に供する部分的断面図である。
【符号の説明】
【００９１】
１……光ディスク再生装置、２……キャビネット、３……ディスク蓋部、７……オープンボタン、１０……光ディスク再生部、１１……シャーシ、１２……ディスクトレイ、１３……トレイ収納部、１４……ターンテーブル、１５……光ピックアップ、１６……光学ブロック、１７Ａ〜１７D……防振ダンパ、１８……チャッキングプレート、１９……プランジャ、２０……制御部、２５……環状磁石、３０、３２……第１及び第２のトルク歯車、３１、３３……トーションばね、ＬＮ……ロック爪、ＬＬ……ロックレバー。
【図１】
2005332547.tif 000003
【図２】
2005332547.tif 000004
【図３】
2005332547.tif 000005
【図４】
2005332547.tif 000006
【図５】
2005332547.tif 000007
【図６】
2005332547.tif 000008
【図７】
2005332547.tif 000009
【図８】
2005332547.tif 000010
【図９】
2005332547.tif 000011
【図１０】
2005332547.tif 000012
【図１１】
2005332547.tif 000013